(57)【要約】【課題】  多指向性アンテナ（スマートアンテナ）２が接続されたディジタルＴＶ放送信号受信装置１において、ユーザがチャンネルを切り換えても、多指向性アンテナの受信方向に切換回数をなるべく少なくし、ユーザのチャンネル切換操作と多指向性アンテナの受信方向の切り換えの時間的な遅れを少なくする。【解決手段】  制御部１６は、チューナ１１で受信した多指向性アンテナの各受信方向について、各チャンネルのそれぞれのＴＶ放送信号の信号受信強度を測定し、ＴＶ放送信号の信号受信強度が所定の閾値以上の値を示すデータ数をカウントし、信号受信強度データが所定の閾値以上の値を示す受信方向のうち、カウント数が最も多い受信方向、すなわち、多指向性アンテナ２の受信方向を切り換えることなく、同時に正常に受信できるチャンネル数が最も多い方向を、そのチャンネルの最適受信方向に決定する。【選択図】  図２
2005318138.tif 000002
【特許請求の範囲】
【請求項１】
あらかじめ規格で定められている複数の受信方向を有する多指向性アンテナが接続され、前記複数の受信方向のうちのいずれか１つの受信方向のみを有効にして、ディジタルテレビジョン放送信号を受信するディジタルテレビジョン放送信号受信装置において、
前記多指向性アンテナに対して、テレビジョン放送信号を受信するための受信方向を指示するための制御信号を出力する制御信号出力手段と、
前記多指向性アンテナが接続され、ディジタルテレビジョン放送信号の受信を行う放送信号受信手段と、
前記テレビジョン放送信号受信手段により受信されたディジタルテレビジョン放送信号に対して所定の信号処理を行うディジタル信号処理手段と、
前記ディジタル信号処理手段により処理された信号をモニタ装置に出力する信号出力手段と、
前記ディジタル信号処理手段により処理された信号を一時的に記憶する記憶手段と、
前記記憶手段に記憶された信号を用いて、受信可能な各チャンネルについての最適な受信方向を決定する受信方向決定手段と、
ディジタルテレビジョン放送信号受信装置の各部を制御する全体制御手段を備え、
多指向性アンテナが接続されたときに、前記制御信号出力手段は、前記多指向性アンテナの受信方向が、順に前記複数の受信方向を向くように、所定の間隔で制御信号を出力し、
前記放送信号受信手段は、前記所定の間隔で、前記多指向性アンテナの各受信方向について、受信可能なチャンネルの検索及び受信可能な各チャンネルのディジタルテレビジョン放送信号の受信を行い、
前記ディジタル信号処理手段は、前記放送信号受信手段により受信した各受信方向についての受信可能な各チャンネルのディジタルテレビジョン放送信号に所定の処理を施し、信号受信強度データを取得して、前記記憶手段に記憶し、
前記受信方向決定手段は、前記記憶手段に記憶されている各信号受信強度データを所定の閾値と比較し、各受信方向について、前記閾値以上の値を示す信号受信強度データ数をカウントし、各受信方向についてのカウント数をさらに比較し、各チャンネルについて、信号受信強度データが前記閾値以上の値を示す受信方向のうち、カウント数が最も多い受信方向を、そのチャンネルについての最適受信方向に決定し、
前記受信方向決定手段は、ユーザによりチャンネルが切り換えられた場合に、チャンネルが切り換えられる前に設定されていた受信方向で、切り換えられたチャンネルのテレビジョン放送信号の信号受信強度データが前記閾値以上であるか否かを判断し、
制御信号出力手段は、前記信号受信強度データが前記閾値以上である場合、前記多指向性アンテナに対して制御信号を出力せず、前記信号受信強度データが前記閾値以上でない場合、前記多指向性アンテナに対して、その受信方向を切り換えられたチャンネルについての最適受信方向に切り換えるように制御信号を出力することを特徴とするディジタルテレビジョン放送信号受信装置。
【請求項２】
あらかじめ規格で定められている複数の受信方向を有する多指向性アンテナが接続され、前記複数の受信方向のうちのいずれか１つの受信方向のみを有効にして、ディジタルテレビジョン放送信号を受信するディジタルテレビジョン放送信号受信装置において、
前記多指向性アンテナの各受信方向について、ディジタルテレビジョン放送信号を正常に受信可能なチャンネルを検索し、各受信方向について検索されたチャンネル数を比較し、各チャンネルについて、同時に検索された他のチャンネル数が最も多い受信方向を、そのチャンネルについての最適受信方向に決定することを特徴とするディジタルテレビジョン放送信号受信装置。
【発明の詳細な説明】
【技術分野】
【０００１】
本発明は、例えばＡＴＳＣなどのディジタルテレビジョン放送信号の受信が可能なディジタルテレビジョン（ＴＶ）放送信号受信装置に関する。
【背景技術】
【０００２】
ＡＴＳＣディジタルテレビジョン放送（以下、ディジタルＴＶ放送と略称する）が行われている北米大陸では、平野部に大都市が点在するため、各都市の近郊で放送されているディジタルＴＶ放送信号を他の都市や、その中間地点で受信することが可能である。ＴＶ放送信号を受信するユーザ側から見ると、様々な方向からＴＶ放送信号が送信されてくるため、自分の見たい番組が放送されている放送局の方向にアンテナの向きを調節する必要がある。そこで、スマートアンテナなど多指向性アンテナが実用化されつつある。
【０００３】
一般的に、ＴＶ放送信号受信装置の分野では、特許文献１に記載されているように、受信感度の高いチャンネルを優先的に受信するように設定されている。また、ユーザにＴＶ放送信号の受信状態を視覚的に表示するために、受信強度に応じて、受信可能なチャンネルを異なる色で表示するディジタルＴＶ受信装置も提案されている（特許文献２参照）。さらに、ディジタルＴＶ放送受信装置において、アンテナの受信方向を設定するために、受信信号の電界強度とディジタルデータの誤り率を用いることが提案されている（特許文献３参照）。また、ＦＭ放送に関するものであるが、放送局の自動選択に当たり、放送数の多い地域ではよりノイズの少ない放送だけを選局し、放送数の少ない地域ではノイズの条件を緩和して、できるだけ多くの放送を選局できるようにした放送受信装置が提案されている（特許文献４参照）。
【特許文献１】特開平１０−２３３９６９号公報
【特許文献２】特開２００２−３３５４５８号公報
【特許文献３】特開２００２−３５３８３２号公報
【特許文献４】特開２０００−２６９７８６号公報
【発明の開示】
【発明が解決しようとする課題】
【０００４】
ＥＩＡ−９０９規格によれば、スマートアンテナは円を１６分割した各方向に受信方向を有すると規定されている。ディジタルＴＶ放送信号を受信するディジタルＴＶ放送信号受信装置としては、ＥＩＡ−９０９規格に準拠して１６方向の全てに対して多指向性アンテナの受信方向を調節できるように設定されている。
【０００５】
ところで、多指向性アンテナには、モータでアンテナを回転させて受信方向を切り換えるタイプや、複数のアンテナを有し、電子スイッチのオン／オフにより有効なアンテナの方向を切り換えるタイプなどが存在する。電子スイッチをオン／オフさせる多指向性アンテナの受信方向の切り換えに必要な時間は、機種に関わりなくほぼ１０ｍｓ程度である。これに対し、モータでアンテナを回転させる多指向性アンテナの受信方向の切り換えに必要な時間は、モータのパワーやアンテナの回転角度によって多少ばらつきがあり、１００ｍｓ〜２００ｍｓ程度である。ディジタルＴＶ放送信号受信装置が、接続された多指向性アンテナの種類を識別したり、受信方向切換時間を任意に設定する機能を有していない場合、市販されている多指向性アンテナの受信方向切換時間のうち最も長いものに対応できるように、ディジタルＴＶ放送信号受信装置側の受信方向切換時間が設定されている。
【０００６】
一般的に、各チャンネルについて受信したＴＶ放送信号の信号受信強度の最も高い方向を、そのチャンネルの受信状態の最も良い方向であると定義することができる。そうすると、ユーザがチャンネルを選択するたびに、多指向性アンテナの受信方向をユーザが選択したチャンネルについての最適受信方向に切り換える動作が行われる。そして、ディジタルＴＶ放送信号受信装置側の受信方向切換時間だけモニタ画面上に映像が表示されず、チャンネルの切り換えが遅れることになる。特に、ユーザが頻繁にチャンネルを変えるときは、多指向性アンテナの受信方向の切り換えがユーザのチャンネル切換操作に追いつかず、ユーザを苛立たせることになる。
【０００７】
本発明は、上記の問題を解決するためになされたものであり、ディジタルＴＶ放送信号受信装置に多指向性アンテナが接続され、ユーザのチャンネル切換操作に応じて、選択されたチャンネルについての最適な受信方向に多指向性アンテナの受信方向を切り換える際に、多指向性アンテナの受信方向を切り換え回数をできるだけ少なくして、ユーザのチャンネル切換操作と多指向性アンテナの受信方向の切り換えの時間的な遅れを少なくしうるディジタルＴＶ放送信号受信装置を提供することを目的とする。
【課題を解決するための手段】
【０００８】
上記目的を達成するために請求項１の発明は、あらかじめ規格で定められている複数の受信方向を有する多指向性アンテナが接続され、前記複数の受信方向のうちのいずれか１つの受信方向のみを有効にして、ディジタルテレビジョン放送信号を受信するディジタルテレビジョン放送信号受信装置において、
前記多指向性アンテナに対して、テレビジョン放送信号を受信するための受信方向を指示するための制御信号を出力する制御信号出力手段と、
前記多指向性アンテナが接続され、ディジタルテレビジョン放送信号の受信を行う放送信号受信手段と、
前記テレビジョン放送信号受信手段により受信されたディジタルテレビジョン放送信号に対して所定の信号処理を行うディジタル信号処理手段と、
前記ディジタル信号処理手段により処理された信号をモニタ装置に出力する信号出力手段と、
前記ディジタル信号処理手段により処理された信号を一時的に記憶する記憶手段と、
前記記憶手段に記憶された信号を用いて、受信可能な各チャンネルについての最適な受信方向を決定する受信方向決定手段と、
ディジタルテレビジョン放送信号受信装置の各部を制御する全体制御手段を備え、
多指向性アンテナが接続されたときに、前記制御信号出力手段は、前記多指向性アンテナの受信方向が、順に前記複数の受信方向を向くように、所定の間隔で制御信号を出力し、
前記放送信号受信手段は、前記所定の間隔で、前記多指向性アンテナの各受信方向について、受信可能なチャンネルの検索及び受信可能な各チャンネルのディジタルテレビジョン放送信号の受信を行い、
前記ディジタル信号処理手段は、前記放送信号受信手段により受信した各受信方向についての受信可能な各チャンネルのディジタルテレビジョン放送信号に所定の処理を施し、信号受信強度データを取得して、前記記憶手段に記憶し、
前記受信方向決定手段は、前記記憶手段に記憶されている各信号受信強度データを所定の閾値と比較し、各受信方向について、前記閾値以上の値を示す信号受信強度データ数をカウントし、各受信方向についてのカウント数をさらに比較し、各チャンネルについて、信号受信強度データが前記閾値以上の値を示す受信方向のうち、カウント数が最も多い受信方向を、そのチャンネルについての最適受信方向に決定し、
前記受信方向決定手段は、ユーザによりチャンネルが切り換えられた場合に、チャンネルが切り換えられる前に設定されていた受信方向で、切り換えられたチャンネルのテレビジョン放送信号の信号受信強度データが前記閾値以上であるか否かを判断し、
制御信号出力手段は、前記信号受信強度データが前記閾値以上である場合、前記多指向性アンテナに対して制御信号を出力せず、前記信号受信強度データが前記閾値以上でない場合、前記多指向性アンテナに対して、その受信方向を切り換えられたチャンネルについての最適受信方向に切り換えるように制御信号を出力することを特徴とする。
【０００９】
請求項２の発明は、あらかじめ規格で定められている複数の受信方向を有する多指向性アンテナが接続され、前記複数の受信方向のうちのいずれか１つの受信方向のみを有効にして、ディジタルテレビジョン放送信号を受信するディジタルテレビジョン放送信号受信装置において、
前記多指向性アンテナの各受信方向について、ディジタルテレビジョン放送信号を正常に受信可能なチャンネルを検索し、各受信方向について検索されたチャンネル数を比較し、各チャンネルについて、同時に検索された他のチャンネル数が最も多い受信方向を、そのチャンネルについての最適受信方向に決定することを特徴とする。
【発明の効果】
【００１０】
請求項１の発明によれば、ディジタルＴＶ放送信号受信装置においてディジタルＴＶ放送信号を受信する場合に、多指向性アンテナの各受信方向について、各チャンネルのそれぞれのＴＶ放送信号の信号受信強度を測定し、さらに、各受信方向について、受信したＴＶ放送信号の信号受信強度が所定の閾値以上の値を示すデータ数をカウントするので、多指向性アンテナの各受信方向について、受信方向を切り換えることなく正常に受信できるチャンネル及びその数を特定することができる。そして、各チャンネルについて、信号受信強度の最も高い受信方向ではなく、信号受信強度データが所定の閾値以上の値を示す受信方向のうち、カウント数が最も多い受信方向、すなわち、多指向性アンテナの受信方向を切り換えることなく、同時に正常に受信できるチャンネル数が最も多い方向を、そのチャンネルの最適受信方向に決定する。そのため、ユーザによりチャンネルが切り換えられた場合に、チャンネルが切り換えられる前に設定されていた受信方向で、切り換えられたチャンネルのＴＶ放送信号を正常に受信できるときは、多指向性アンテナの受信方向の切換を行わなくてすむ。その結果、多指向性アンテナの受信方向切換回数を減らせることができ、ユーザのチャンネル切換操作と多指向性アンテナの受信方向の切り換えの時間的な遅れを少なくすることができる。
【００１１】
請求項２の発明によれば、ディジタルＴＶ放送信号受信装置においてディジタルＴＶ放送信号を受信する場合に、ディジタルＴＶ放送信号の信号受信強度の最も高い方向ではなく、各チャンネルについて、同時に正常に受信可能な他のチャンネル数が最も多い受信方向を、そのチャンネルについての最適受信方向に決定するので、ユーザがチャンネルの切換を選択しても、選択したチャンネルによっては、必ずしも受信方向を切り換える必要はなくなる。その結果、多指向性アンテナの受信方向切換回数を減らせることができ、ユーザのチャンネル切換操作と多指向性アンテナの受信方向の切り換えの時間的な遅れを少なくすることができる。
【発明を実施するための最良の形態】
【００１２】
本発明の一実施の形態に係るディジタルＴＶ放送信号受信装置について説明する。ユーザが家庭においてＴＶ放送信号を受信する状況を図１に示す。ディジタル（地上波）ＴＶ放送が行われている地域では、受信したディジタルＴＶ放送信号の信号受信強度が一定の閾値以上であれば、補正などにより一定の画質の画像が得られる。そのため、図１に示すように、Ａ地域、Ｂ地域、Ｃ地域など複数箇所に点在する放送局から送信されてくるＴＶ放送信号を受信して、ＴＶ番組を視聴することができる。このような状況に対応して、複数の受信方向を有するスマートアンテナと呼ばれる多指向性アンテナが実用化されている。
【００１３】
多指向性アンテナには、モータでアンテナを回転させて受信方向を切り換えるタイプや、複数のアンテナを有し、電子スイッチのオン／オフにより有効なアンテナの方向を切り換えるタイプなど、様々な構造が考えられる。多指向性アンテナの受信方向の数は、ＥＩＡ−９０９規格によれば、１６方向と規定されており、ＥＩＡ−９０９規格に準拠したディジタルＴＶ放送信号受信装置は、接続される多指向性アンテナの種類やスペックなどにかかわらず、１６の受信方向の全てに対して切り換えが可能である。
【００１４】
ディジタルＴＶ放送信号受信装置において多指向性アンテナの受信方向を切り換える際、一般的に、各チャンネルについて受信したＴＶ放送信号の信号受信強度の最も高い方向を、そのチャンネルの最適受信方向に設定していた。ところが、ディジタルＴＶ放送の場合、上記のように受信したディジタルＴＶ放送信号の信号受信強度が一定の閾値以上であれば一定の画質の画像が得られるため、必ずしも信号受信強度の最も高い方向をそのチャンネルの最適受信方向に設定する必要はない。
【００１５】
本実施の形態に係るディジタルＴＶ放送信号受信装置では、接続された多指向性アンテナの受信方向の切換回数をなるべく少なくするために、多指向性アンテナの各受信方向について、ディジタルＴＶ放送信号を正常に受信可能なチャンネルを検索し、各受信方向について検索されたチャンネル数、すなわち、同時に正常に受信可能な他のチャンネル数が最も多い受信方向を、そのチャンネルについての最適受信方向に決定する。
【００１６】
次に、本実施の形態に係るディジタルＴＶ放送信号受信装置１の構成を図２に示す。ディジタルＴＶ放送信号受信装置１は、多指向性アンテナ２に接続され、ＴＶ放送信号を受信するチューナ（放送信号受信手段）１１、チューナ１１で受信したディジタルＴＶ放送信号に対して所定の信号処理を行い、復号化するＡＴＳＣフロントエンド（ディジタル信号処理手段）１２、チューナ１１で受信したアナログＴＶ放送信号を復号化するＮＴＳＣデコーダ１３、ＭＰＥＧ圧縮されていたＴＶ放送信号をデコードするＭＰＥＧデコーダ（信号出力手段）１４、デコードされたＴＶ放送信号に所定の表示画像を重畳させるオンスクリーンディスプレイ部（ＯＳＤ）１５、チューナ１１により受信したＴＶ放送信号の受信状態を検知し、多指向性アンテナ２の制御ユニット２１を制御する（受信方向決定手段及び制御信号出力手段として機能する）とともに、ＡＴＳＣフロントエンド１２やＮＴＳＣデコーダ１３などを制御する（全体制御手段として機能する）制御部（ＣＰＵ）１６、デコードされたＴＶ放送信号を一時的に記憶したり、デコードされたＴＶ放送信号に重畳させる表示画像を記憶したりするメモリ（記憶手段）１７などで構成されている。ＭＰＥＧデコーダ１４によりデコードされたＴＶ放送信号は、オンスクリーンディスプレイ部１５を介してモニタ装置３に出力され、表示される。なお、ディジタルＴＶ放送では、ユーザ側のディジタルＴＶ放送信号受信装置１から放送局に向けてデータの送信が可能であるが、本発明とは直接関係がないので、その説明を省略する。
【００１７】
多指向性アンテナ２の制御ユニットは、制御部１６からの制御信号に応じて、多指向性アンテナ２の複数ある受信方向のうち、指示された方向のみを有効にする。多指向性アンテナ２がモータでアンテナを回転させて受信方向を切り換えるタイプである場合、制御ユニット２１はモータの回転を制御して、アンテナを指示された方向に向ける。一方、多指向性アンテナ２が電子スイッチのオン／オフにより有効なアンテナの方向を切り換えるタイプである場合、指示された方向のアンテナに接続された電子スイッチのみをオンし、その他の電子スイッチをオフする。
【００１８】
次に、ディジタルＴＶ放送信号受信装置１の制御部１６による受信可能な各チャンネルについての多指向性アンテナ２の最適受信方向の決定について、図３に示すフローチャートを参照しつつ説明する。
【００１９】
まず、制御部１６がチューナ１１に多指向性アンテナ２が接続されたことを検出すると、初期動作として、接続された多指向性アンテナ２により受信可能な各チャンネルについての最適受信方向の設定処理（アンテナ処理）を行う。制御部１６は、方向カウンタにｎ＝１６をセットし（Ｓ１）、第ｎ番目の方向を指定する制御信号を出力する（Ｓ２）。制御信号を多指向性アンテナ２の制御ユニット２１に出力した後、制御部１６は、さらにチャンネルカウンタに、例えばｍ＝１２をセットする（Ｓ３）。多指向性アンテナ２の受信方向切り換えに要する時間を経過した後、チューナ１１により第ｍチャンネルのＴＶ放送信号を受信する（Ｓ４）。ＴＶ放送信号を受信すると、制御部１６は、受信したＴＶ放送信号の信号受信強度を測定し、測定結果をメモリ１７に保存する（Ｓ５）。そして、チャンネルカウンタを１つ減算し（Ｓ６）、１２のチャンネルの全てについてディジタルＴＶ放送信号の信号受信強度を測定したか否かを判断する（Ｓ７）。１２のチャンネルの全てについてＴＶ放送信号の信号受信強度を測定していない場合は、ステップＳ３に戻って次のチャンネルについてディジタルＴＶ放送信号の信号受信強度を測定する。１２のチャンネルの全てについてＴＶ放送信号の信号受信強度の測定が完了すると（Ｓ７でＹＥＳ）、制御部１６は、方向カウンタを１つ減算し（Ｓ８）、１６の受信方向の全てについてディジタルＴＶ放送信号の信号受信強度を測定したか否かを判断する（Ｓ９）。１６の受信方向の全てについてＴＶ放送信号の信号受信強度を測定していない場合は、ステップＳ２に戻って次の受信方向についてディジタルＴＶ放送信号の信号受信強度を測定する。
【００２０】
１６の受信方向の全てについて、１２のチャンネルのＴＶ放送信号の信号受信強度の測定が完了すると（Ｓ９でＹＥＳ）、制御部１６は、メモリ１７に保存されている測定データを読み出し、全ての測定した信号受信強度を所定の閾値と比較する（Ｓ１０）。そして、制御部１６は、１６の受信方向について、それぞれ閾値以上の値を示す信号受信強度のデータ数をカウントし（Ｓ１１）、各受信方向についてのカウント数をさらに比較する（Ｓ１２）。さらに、制御部１６は、各チャンネルについて、閾値以上の値を示す受信方向のうち、カウント数が最も多い受信方向を、そのチャンネルについての最適受信方向に決定する（Ｓ１３）。
【００２１】
次に、上記ステップＳ１０からＳ１３における各受信方向における各チャンネルの信号受信強度及び受信可能なチャンネル数の関係を表１に示す。
【表１】
2005318138.tif 000003
【００２２】
表１において、閾値を例えば４０％に設定し、信号受信強度４０％以上の場合がディジタルＴＶ放送信号を正常に受信可能であるとする。例えば６チャンネルに着目すると、受信方向４、５、６、７及び８の５方向でＴＶ放送信号が正常に受信可能である。一方、受信方向４では、２、６、８及び１０の４つのチャンネルのＴＶ放送信号が正常に受信可能である。受信方向５では、２及び６の２つのチャンネルのＴＶ放送信号が正常に受信可能である。受信方向６では、６チャンネルのＴＶ放送信号のみが正常に受信可能である。受信方向７では、６及び８の２つのチャンネルのＴＶ放送信号が正常に受信可能である。受信方向８では、６及び８の２つのチャンネルのＴＶ放送信号が正常に受信可能である。従って、６チャンネルについては、信号受信強度の値が最も高い受信方向６ではなく、正常に受信可能な他のチャンネル数が最も多い受信方向４を最適受信方向とする。このようにすれば、２、６、８及び１０の４つのチャンネルの間でチャンネルの切り換えが行われたとしても、多指向性アンテナ２の受信方向を切り換える必要はないので、制御部１６は多指向性アンテナ２の制御ユニット２１に対して制御信号を出力しない。
【００２３】
一方、６チャンネルから４チャンネルに切り換えられた場合は、制御部１６は、多指向性アンテナ２の受信方向６から受信方向１３に切り換えるために制御信号を出力する。しかしながら、受信方向１３では、４チャンネルの他に、８及び１２チャンネルのＴＶ放送信号が正常に受信可能であるので、次に、これら４、８及び１２のチャンネルの間でチャンネルの切り換えが行われても、多指向性アンテナ２の受信方向を切り換える必要はない。結果的に、多指向性アンテナ２の受信方向の切り換え回数を少なくすることができる。特に、ユーザが頻繁にチャンネルを変えたとしても、ユーザのチャンネル切換操作と多指向性アンテナ２の受信方向の切り換えの時間的な遅れを少なくすることができる。
【００２４】
なお、表１において、４チャンネルについては、受信方向１２、１３及び１４の３方向において、３つのチャンネルのＴＶ放送信号が正常に受信可能である。そのような場合は、信号受信強度の最も高い方向（この場合、受信方向１３）をそのチャンネルについての最適受信方向に決定すればよい。
【図面の簡単な説明】
【００２５】
【図１】ユーザが家庭においてディジタルテレビジョン（ＴＶ）放送信号を受信する状況を示す概念図。
【図２】本発明の一実施の形態に係るディジタルＴＶ放送信号受信装置の構成を示すブロック図。
【図３】上記ディジタルＴＶ放送信号受信装置による各チャンネルについての多指向性アンテナの最適受信方向決定処理を示すフローチャート。
【符号の説明】
【００２６】
１  ディジタルＴＶ放送信号受信装置
２  多指向性アンテナ（スマートアンテナ）
３  モニタ装置
１１  チューナ（放送信号受信手段）
１２ＡＴＳＣフロントエンド（ディジタル信号処理手段）
１３  ＮＴＳＣデコーダ
１４  ＭＰＥＧデコーダ（信号出力手段）
１５  オンスクリーンディスプレイ部
１６  制御部（制御信号出力手段、受信方向決定手段、全体制御手段）
１７  メモリ（記憶手段）
２１  制御ユニット
【図１】
2005318138.tif 000004
【図２】
2005318138.tif 000005
【図３】
2005318138.tif 000006